(57)【特許請求の範囲】
【請求項１】
インキ収容管に筆記具用インキを充填してなるボールペンレフィールを軸筒内に収納し、該軸筒の後端部に配設したコイルスプリングにより、前記ボールペンレフィールを前方に押圧してなるボールペンにおいて、前記コイルスプリングを、第１コイル部に、該第１コイル部より小径の第２コイル部を連設し、該第２コイル部の第１コイル部が連設した側と反対側の後端開口部にコイルスプリングの後端のコイル線材を内側に折曲して設けた底部、又は第２コイル部の第１コイル部が連設した側と反対側の後端部にコイル外径を縮径した縮径部を設けて形成するとともに、前記軸筒の後端部内に内方に突出した段部を形成し、該段部に第１コイル部と第２コイル部で構成された段部を、第２コイル部の後端部と軸筒との間に軸心に沿った方向に空間部を形成して当接し、ボールペンレフィールの後端部を前記第１コイル部の先端面に当接して第１コイル部を圧縮することにより前記ボールペンレフィールを前方に押圧し、又はボールペンレフィールの後端部を第２コイル部の底部又は縮径部に当接して第２コイル部を軸筒後端側に拡張することにより前記ボールペンレフィールを前方に押圧して、外径及び全長の異なる２種類のボールペンレフィールを個々に収納可能としたボールペン。
【発明の詳細な説明】
【０００１】
【発明の属する技術分野】
本発明は、軸筒内に、外径寸法及び全長の異なる２種類のボールペンレフィールを個々に収納して前方に押圧可能なボールペンに関する。
【０００２】
【従来の技術】
従来、ボールペンは、ボールペンレフィールの形状によって、ボールペンレフィールを軸筒内に収納保持する構造も相違している。例えば、剪断減粘性を付与したインキは、静的には粘度が高く、筆記などによるボールの回転によってインキに剪断力が加わると粘度が低くなるものでインキ消費量は多く、ボールペンレフィールのインキ収容管の外径はφ５．０ｍｍ以上のものが一般的である。これに対し高粘度である油性インキは、インキ消費量が少ないため、そのボールペンレフィールのインキ収容管の外径はφ４．０ｍｍ以下と比較的小径のものが多い。また、両者のボールペンレフィールの全長も相違しており、後者の方が長く形成してある。そのために従来は、剪断減粘性インキを収容したボールペンレフィールはそれにあった軸筒に、油性インキを収容したボールペンレフィールはそれにあった軸筒に収納していた。しかし最近、環境問題が取り沙汰されており、資源の有効活用から１つの軸筒で剪断減粘性インキを収容したボールペンレフィールと油性インキを収容したボールペンレフィールを個々に収納可能なボールペンが望まれている。
【０００３】
こうした、外径寸法及び全長の異なる２種類のボールペンレフィールを収納可能なボールペンについては、例えば特開平１１−２５４８７８号公報「２種類の形状のボールペン用中芯に適応したボールペン」のように、軸筒の後端部又は後端に収納した尾栓の内部に、ボールペン用中芯の後端部に当接する第１の当接部と、他寸法形状のボールペン用中芯の後端部に当接する第２の当接部を設けてなるボールペンについて開示されている。
【０００４】
ところで、軸筒内に収納したボールペンレフィールが軸筒内でがたつかないように、ボールペンレフィールをコイルスプリング等の弾性体によって軸筒の先端方向に押圧し、軸筒の内壁や軸筒に連設した口先部材等に当接して収納してなるボールペンは知られている。こうした構造は、ボールペンレフィールを軸筒の内壁等に当接して収納するので、ボールペンレフィールの長手方向における寸法のバラツキに関係なくがたつかないように保持できるという利点がある。
【０００５】
【発明が解決しようとする課題】
しかしながら、軸筒の後端部にコイルスプリングを配設した場合は、ボールペンレフィールの後端部をコイルスプリングに当接させるため、少なくとも後端部の外径寸法及び全長が略同一のボールペンレフィールしか収納することができなかった。
【０００６】
本発明はこうした問題に鑑み、全長及び外径寸法の異なる２種類のボールペンレフィールを個々に収納可能であって、収納したボールペンレフィールが前方に押圧されるボールペンを提供することにある。
【０００７】
【課題を解決するための手段】
本発明は、前記問題を解決するために、インキ収容管に筆記具用インキを充填してなるボールペンレフィールを軸筒内に収納し、該軸筒の後端部に配設したコイルスプリングにより、前記ボールペンレフィールを前方に押圧してなるボールペンにおいて、前記コイルスプリングを、第１コイル部に、該第１コイル部より小径の第２コイル部を連設し、該第２コイル部の第１コイル部が連設した側と反対側の後端開口部にコイルスプリングの後端のコイル線材を内側に折曲して設けた底部、又は第２コイル部の第１コイル部が連設した側と反対側の後端部にコイル外径を縮径した縮径部を設けて形成するとともに、前記軸筒の後端部内に内方に突出した段部を形成し、該段部に第１コイル部と第２コイル部で構成された段部を、第２コイル部の後端部と軸筒との間に軸心に沿った方向に空間部を形成して当接し、ボールペンレフィールの後端部を前記第１コイル部の先端面に当接して第１コイル部を圧縮することにより前記ボールペンレフィールを前方に押圧し、又はボールペンレフィールの後端部を第２コイル部の底部又は縮径部に当接して第２コイル部を軸筒後端側に拡張することにより前記ボールペンレフィールを前方に押圧して、外径及び全長の異なる２種類のボールペンレフィールを個々に収納可能としたものである。
【０００８】
【発明の実施の形態】
本発明の実施の形態を図面を用いて説明する。図面中、同一部材および同一箇所を示すものは同一符号を付してある。図１から図６に示す、２種類の形状のボールペンレフィールが収納可能なボールペン１は、軸筒２の先端には口金３を螺合した構造である。軸筒２の後端部には、内方に突出した段部２ｂが形成してあり、この段部２ｂに、前記口金３側に位置する先端部の第１コイル部１０に、該第１コイル部１０より小径の第２コイル部１１とを連設したコイルスプリング９の、第１コイル部１０と第２コイル部１１で構成された段部１２を当接して保持している。第２コイル部１１の後端は、コイル線材を内側に折曲して設けた底部１１ａを形成し、第２コイル部１１の後端部１１ａと軸筒２の後端を閉塞した内壁には間隙１３を形成してある。
【０００９】
剪断減粘性を付与したインキ及びグリース状のインキ追従体（図示せず）を収容した第１のボールペンレフィール４は、外径が約６．０ｍｍ、全長が約８７ｍｍのインキ収容管５の先端部に、ボールペンチップ７を嵌着したチップホルダー６を装着し、後端部に、空気流路（図示せず）を有するレフィール尾栓８を装着した構造のものである。第１のボールペンレフィール４のレフィール尾栓８の後端面８ａを第１コイル部１０の先端面１０ａに、第１コイル部が圧縮する（矢印Ｆの反対方向）ように当接し、第１のボールペンレフィール４を軸筒２の先端開口部２ａ側の前方に押圧（矢印Ｆ方向）して、ボールペンチップ７とチップホルダー６の段部が口金３の内壁に当接させ、ボールペンチップ７の先端部を口金３の開口部３ａより突出させて軸筒２内に収納してある。
【００１０】
次に、図５及び図６に、第１のボールペンレフィール４の外径より細径で、第１のボールペンレフィール４の全長より長寸の油性インキ（図示せず）を収容する外径が約３．０ｍｍ、全長が約９８．２ｍｍのインキ収容管１５に、直接ボールペンチップ１７を装着した第２のボールペンレフィール１４を収納する場合について説明する。先ず、口先部材３を軸筒２から外し、第１のボールペンレフィール４を取出した後、第２のボールペンレフィール１４のインキ収容管１５の後端面１５ａを第２コイル部１１の底部１１ａに、第２コイル部１１を軸筒２の閉塞した後端方向（矢印Ｆの反対方向）に拡張するように当接し、口先部材３を螺着する。前述したように、軸筒２の段部２ｂに、コイルスプリング９の段部１２を当接し、第２コイル部１１の底部１１ａと軸筒２の後端を閉塞した内壁には間隙１３を形成してあるので、第２のボールペンレフィール１４は、軸筒２の先端開口部２ａ側の前方に押圧（矢印Ｆ方向）され、ボールペンチップ１７とインキ収容管１５との段部が口金３の内壁に当接させ、ボールペンチップ１７の先端部を口金３の開口部３ａより突出させて、軸筒２内に収納する。
【００１１】
前述したようにコイルスプリング９の形状は、第１コイル部１０の先端面１０ａに第１のボールペンレフィール４のレフィール尾栓８の後端面８ａを当接するので、第１コイル部１０の内径Ｍは、レフィール尾栓８の後端面８ａの外径Ｋより小径（Ｍ＜Ｋ）とする。また、第２コイル部１１の底部１１ａで第２のボールペンレフィール１４の後端面１４ａを当接するので、第２コイル部１１の内径Ｎ１は、第２のボールペンレフィール１４の後端部の外径Ｌより大径（Ｎ１＞Ｌ）にすることが必要である。
【００１２】
次に、第２の実施の形態におけるボールペン２１について説明する。図７及び図８に示すように、先端部の第１コイル部３０に、該第１コイル部３０より小径の第２コイル部３１を連設したコイルスプリング２９である。第２コイル部３１の後端は、第２コイル部の外径を徐々に縮径することによって、第２コイル部３１の縮径部３１ａの内径Ｎ２は、第２のボールペンレフィール１４の外径Ｌより小径（Ｎ２＜Ｌ）としている。コイルスプリング２９の、第１コイル部３０と第２コイル部３１で構成された段部３２を、軸筒２内に形成した段部２ｂに当接し、第２コイル部３１の縮径部３１ａの端部と軸筒２の後端を閉塞した内壁に間隙３３を形成すように配設する。ボールペンレフィール１４は、インキ収容管１５の後端面１５ａを第２コイル部３１の縮径した縮径部３１ａに、第２コイル部３１を軸筒２の閉塞した後端方向（矢印Ｆの反対方向）に拡張するように当接して保持するので、軸筒の先端方向に付勢される（矢印Ｆ方向）。
【００１３】
また、図示はしていないが、第１のボールペンレフィール４を配設する場合には、第１の実施の形態と同様に、第１コイル部３０の先端面３０ａに、第１のボールペンレフィール４のインキ収容管５の後端に装着した尾栓８の後端面８ａを当接して保持する。
【００１４】
本実施の形態では、軸筒２の先端部に口金３が螺着した構造としてあるが、図示はしていないが、後端部に尾栓を螺着したり、軸筒が前軸と後軸に分かれている構造であっても良い。また、コイルスプリングを当接する段部の形状や形成位置は特に限定されるのでなく、軸筒内又は尾栓内等、軸筒を構成する部材内であれば、ボールペンレフィールの形状やコイルスプリングの形状に合わせて適宜設ければ良い。
【００１５】
また、本実施の形態では便宜上、第１のボールペンレフィールに剪断減粘性インキを充填し、第２のボールペンレフィールに油性インキを充填しているが、これに限るものではなく、繊維束に保持された水性インキ等、２種類の形状のボールペンレフィールに充填するインキは適宜選択して使用することができる。
【００１６】
【発明の効果】
本発明は、前述したような構造なので、全長及び外径寸法の異なる２種類のボールペンレフィールを個々に収納可能であって、収納したボールペンレフィールが前方に押圧されるボールペンを提供することができた。
【図面の簡単な説明】
【図１】第１の実施の形態における、第１のボールペンレフィールを配設した要部縦断面図である。
【図２】図１における、要部拡大断面図である。
【図３】図１における、コイルスプリングの拡大図である。
【図４】図１における、コイルスプリングの後端を示す拡大図である。
【図５】第１の実施の形態における、第２のボールペンレフィールを配設した要部縦断面図である。
【図６】図５における、要部拡大断面図である。
【図７】第２の実施の形態における、第２のボールペンレフィールを配設した要部縦断面図である。。
【図８】図７における、コイルスプリングの拡大図である。
【符号の説明】
１  ボールペン
２  軸筒
２ａ  先端部
２ｂ  段部
３  口先部材
４  第１のボールペンレフィール
５  インキ収容管
６  チップホルダー
７  チップ
８  レフィール尾栓
８ａ  後端面
９、２９  コイルスプリング
１０、３０  第１コイル部
１０ａ、３０ａ  先端面
１１、３１  第２コイル部
１１ａ  底部
３１ａ  縮径部
１２、３２  段部
１３  空間部
１４  第２のボールペンレフィール
１５  インキ収容管
１５ａ  後端面
１７  ボールペンチップ
Ｋ  第１のボールペンレフィールの外径
Ｌ  第２のボールペンレフィールの外径
Ｍ  第１コイル部の内径
Ｎ１  第２コイル部の内径
Ｎ２  縮径部の内径
【図１】
0003916218.tif 000002
【図２】
0003916218.tif 000003
【図３】
0003916218.tif 000004
【図４】
0003916218.tif 000005
【図５】
0003916218.tif 000006
【図６】
0003916218.tif 000007
【図７】
0003916218.tif 000008
【図８】
0003916218.tif 000009